(57)【要約】【課題】  乗客へのマッサージサービスを提供可能なタクシーを実現するため、車両シートおよびマッサージ機からの着脱作業を容易としたシートカバーを提供する。【解決手段】  車両シート(30)のシート座面(31)に接する座部(51)と、その座部(51)と連続して形成された背部(52)とを有し、座部へ着座して背部にもたれて乗車した乗客にマッサージを施すマッサージ機(50)に対して、シート座面(31)の奥行き方向とシート座面(31)の横幅方向と略同寸法に形成され、シート座面(31)およびマッサージ機(50)の座部(51)の上面と接するシート被覆部 (11)を有するシートカバー(10)に係る。マッサージ機の座部(51)を被覆し、マッサージ機の座部(51)の座部先端部(51c)が挿出入される座部用開口部(21)を備えて袋状に形成された座部固定部材(20)と、マッサージ機の背部(52)の横幅と略同等に形成され、背部(52)の背部先端部(52c)の出入口として形成された背部用開口部(12)とを備える。【選択図】  図１
0003104685.tif 000002
【実用新案登録請求の範囲】
【請求項１】
車両シートにおけるシート座面に配置され、シート座面に接する座部と、
その座部と連続して形成された背部とを有し、座部へ着座して背部にもたれて乗車した乗客にマッサージを施すマッサージ機に対して、
前記シート座面の奥行き方向と、前記シート座面の横幅方向と略同寸法に形成され、シート座面およびマッサージ機の座部の上面と接するシート被覆部を有するシートカバーであって、
前記マッサージ機の座部の奥行き方向および横幅方向と略同寸法に形成され、
前記マッサージ機の座部を被覆すると共に、前記マッサージ機の座部の座部先端部が挿出入される座部用開口部を備えて袋状に形成された座部固定部材と、
前記マッサージ機の背部の横幅と略同等に形成され、背部の背部先端部)の出入口として形成された背部用開口部とを備えたことを特徴とするシートカバー。
【請求項２】
前記座部固定部材および背部側開口部に隣接して第二座部固定部材および第二背部側開口部が配置され、その第二座部固定部材および第二背部側開口部は、前記車両シートの着座可能人数に対応して設置された他のマッサージ機の座部および背部の位置関係が等しくなるよう形成されていることを特徴とする請求項１記載のシートカバー。
【請求項３】
前記マッサージ機の背部を被覆する背部用シートカバーを別途設けたことを特徴とする請求項１記載のシートカバー。
【請求項４】
前記背部用シートカバーは、前記マッサージ機の座部方向となるマッサージ機の背部の境界領域を露出させて形成させたことを特徴とする請求項３記載のシートカバー。
【請求項５】
前記座部固定部材は、前記シート被覆部の生地よりも厚く形成されていることを特徴とする請求項１から請求項４に記載のシートカバー。
【考案の詳細な説明】
【技術分野】
【０００１】
本考案は、マッサージ機に被覆するシートカバーに関し、特に車両シートに設けられた後付型のマッサージ機に対して被覆するシートカバーに関する。
【背景技術】
【０００２】
従来から知られているマッサージ機としては、シートの背もたれ部（以下、背部と表記する）および座部にモータなどによって動作する電動式のマッサージ機構を備えた椅子型のマッサージ機が知られている。
近年では、車両用のシートなどのシート本体に予めマッサージ機構が組み込まれた一体型のマッサージ機なども開発されるに至っている。後者の車両用のシートにおいては、利用者ニーズに応じて導入時期などが選択できるよう、後付けが可能なマッサージ機も考案されている。この後付け可能マッサージ機では、着脱が可能であるために、不要な場合や清掃時には取り外しが可能であるといったメリットがある。
上記のような車両シート用のマッサージ機は、リラックス作用が生じることから、車両を利用する頻度が高く、長時間シートに着座している人に注目されるに至っている。
【０００３】
さて、特許文献１に記載されているように、ユーザニーズに応じてカバーデザインを変えることが可能なカバー構造が発案されている。
【０００４】
【特許文献１】特開２００１−２７６１５８号公報
【考案の開示】
【考案が解決しようとする課題】
【０００５】
さて、後付け型のマッサージ機を車両シートに用いることを想定すると、次のような問題が考えられる。
第一の問題として、マッサージ機をシートカバー上に設置すると、マッサージ機自体が外部に露出してしまうことである。
美観および清潔感の維持のために車両シートにシートカバーが掛けられている場合には、そのシートカバーとマッサージ機とが馴染まず、見栄えが悪くなる。したがって、マッサージ機には専用カバーを取り付けることとなる。しかし、このような場合、車両シートおよびマッサージ機の両方に別々にカバーの着脱作業が発生するため、作業が頓雑となってしまう。
【０００６】
仮に車両シートおよびマッサージ機の両方を１枚で被覆するシートカバーを提供した場合には、上記の問題は解決する。
しかし、マッサージ機が車両シートに対してズレる、という問題は、別々のカバーを用いる場合、１枚のシートカバーを用いる場合のいずれでも解決しない。
【０００７】
タクシーなど業務用（乗客へのサービス向上）に前記マッサージ機を採用したい場合には、シートカバーのクリーニング頻度は一般用途よりも格段に高くなる。したがって、シートカバーの着脱作業の容易さが求められていた。つまり、上記のマッサージ機およびシートカバーの「ズレ」とは相反した問題となり、「ズレ」ないように維持し、かつ着脱作業の簡便さも求められていた。
【０００８】
本考案が解決しようとする課題は、後付型マッサージ機を備えた車両シート全体としての美観および清潔感を維持した上で、車両シートおよびマッサージ機からの着脱作業を容易としたシートカバーを提供することにある。
【課題を解決するための手段】
【０００９】
（請求項１）
請求項１に記載の考案は、車両シート(30)におけるシート座面(31)に配置され、シート座面(31)に接する座部(51)と、その座部(51)と連続して形成された背部(52)とを有し、座部へ着座して背部にもたれて乗車した乗客にマッサージを施すマッサージ機(50)に対して、前記シート座面(31)の奥行き方向と、前記シート座面(31)の横幅方向と略同寸法に形成され、シート座面(31)およびマッサージ機(50)の座部(51)の上面と接するシート被覆部 (11)を有するシートカバー(10)に係る。
このシートカバー(10)は、前記マッサージ機(50)の座部(51)の奥行き方向および横幅方向と略同寸法に形成され、前記マッサージ機(50)の座部(51)を被覆すると共に、前記マッサージ機(50)の座部(51)の座部先端部(51c)が挿出入される座部用開口部(21)を備えて袋状に形成された座部固定部材(20)と、前記マッサージ機(50)の背部(52)の横幅と略同等に形成され、背部(52)の背部先端部(52c)の出入口として形成された背部用開口部(12)とを備える。
【００１０】
（作用）
請求項１に記載の考案によれば、車両シート(30)およびマッサージ機(50)を１枚のシートカバー(10)で覆う形態である。すなわち、シートカバー(10)全体としては、車両シート(30)のシート座面(31)およびマッサージ機(50)の座部(51)を被覆するとともに、マッサージ機(50)の座部(51)を袋状に形成した部位に挿入させる。
更に詳しく説明する。シート被覆部(11)に袋状に設けられた座部固定部材(20)は、マッサージ機(50)の座部(51)と接して配置される。また、座部(51)の座部先端部(51c)が座部用開口部(21)に挿入され、座部(51)を被覆して固定する形態としている。また、シート被覆部(11)の背部用開口部(12)には、マッサージ機(50)の背部(52)の背部先端部(52c)が挿入される。
座部固定部材(20)によって座部(51)が固定できるため、車両シート(30)に後付けで設置したマッサージ機(50)において、乗降や座り直したときなどに発生しやすいズレが生じることがない。このため、マッサージ機(50)の利用者の使い勝手が良くなるとともに、運転者の再セッティングなどの作業を減少させることとなる。また、背部側開口部(12)を設けたため、マッサージ機(50)の背部(52)の取付け取外し作業が容易となる。さらに、シートカバー(10)で車両シート(30)を被覆することで、マッサージ機(50)本体の露出が抑えられ、美観的にも良好となる。
なお、タクシーなどの対人業務における新サービスとして提供すれば、他業者との差別化を図ることが可能である。
【００１１】
（請求項２）
請求項２に記載の考案は、請求項１記載のシートカバーを限定したものであり、マッサージ機を複数台設置する場合に対応させたものである。
前記座部固定部材(20)および背部側開口部(12)に隣接して第二座部固定部材(40)および第二背部側開口部(42)が配置され、その第二座部固定部材(40)および第二背部側開口部(42)は、前記車両シート(30)の着座可能人数に対応して設置された他のマッサージ機(60)の座部(61)および背部(62)の位置関係が等しくなるよう形成されていることを特徴とする。
【００１２】
（作用）
請求項２に記載の考案によれば、マッサージ機の設置数に対応して、シートカバー(10)に座部固定部材(20)および背部側開口部(12)を複数設けている。これは、例えば、マッサージ機付きの車両シート(30)が二人用であるとすれば、マッサージ機(50)に隣接して他のマッサージ機(60)が設置される。そして、マッサージ機(60)に対応した座部固定部材(40)および背部側開口部(42)を設ける。
なお、車両シートに複数のマッサージ機が設置されている場合でも対応可能となる。このため、利用者ニーズに応じたバリエーションを提供することができるため望ましい。
【００１３】
（請求項３）
請求項３に記載の考案は、請求項１記載のシートカバーを限定したものであり、
前記マッサージ機(50)の背部(52)を被覆する背部用シートカバー(70)を別途設けたことを特徴とする。
【００１４】
（作用）
請求項３に記載の考案によれば、背部用シートカバー(70)がマッサージ機(50)の背部(52)を被覆するため、美観形成に好ましい。たとえば、乗客の頭部による汚れのみの場合、背部用シートカバー(70)のみを取り外して交換すればよい。
【００１５】
（請求項４）
請求項４に記載の考案は、請求項３記載のシートカバーを限定したものであり、
前記背部用シートカバー(70)は、前記マッサージ機(50)の座部(51)方向となるマッサージ機(50)の背部(52)の境界領域(100)を露出させて形成させたことを特徴とする。
【００１６】
（作用）
請求項４に記載の考案によれば、シートカバー(30)と背部用シートカバー(70)との境界領域(100)を露出させる。一部を露出させていれば、利用客にとってマッサージ機が設置されているのが認識できるようになるため望ましい。
【００１７】
（請求項５）
請求項５に記載の考案は、請求項１から請求項４に記載のシートカバーを限定したものであり、前記座部固定部材(20)は、前記シート被覆部(11)の生地よりも厚く形成されていることを特徴とする。
【００１８】
（作用）
請求項５に記載の考案によれば、座部固定部材(20)は、シート被覆部(11)の生地よりも厚く形成されている。したがって、マッサージ機(50)の座部(51)の表面形状が粗く形成されており、乗客が着座すると痛いなど、マッサージ機(50)の快適性が十分に発揮されない場合などに効果的となる。
【考案の効果】
【００１９】
請求項１から請求項５に記載の考案によれば、後付型マッサージ機を備えた車両シート全体としての美観および清潔感を維持した上で、車両シートおよびマッサージ機からの着脱作業を容易としたシートカバーを提供することができた。
【考案を実施するための最良の形態】
【００２０】
以下、図面に示した本考案の実施形態に基づき、本考案をさらに詳細に説明する。ここで使用する図面は、図１から図６である。図１は、車両シート、マッサージ機およびシートカバーの装着時の形態を概略的に示した斜視図であり、図２は、車両シートおよびマッサージ機に対し、シートカバーおよび背部用シートカバーを装着した形態を示した斜視図であり、図３は、シートカバーの背面の形態を示した平面図であり、図４は、座部固定部材の形態を示した概略正面図である。
【００２１】
（図１および図２）
図１および図２に示すように、車両シート３０は、シート座面３１にマッサージ機５０が配置され、そのマッサージ機５０にシートカバー１０および背部用シートカバー７０が被覆されている。本実施形態における車両シート３０は、普通自動車の後部座席に搭載されている２人用または３人用の一般的な車両シートである。以下、普通自動車としては、タクシーまたはハイヤーなどの業務用で利用されるものとして説明していく。
【００２２】
マッサージ機５０は、車両シート３０の一側に寄せて配置された後付型のマッサージ機であり、車両シート３０のシート座面３１に接する座部５１と、座部５１と連続して形成された背部５２とから構成されている。また、乗客がマッサージ機５０に着座した際に、人体が直接触れる部分となる座部５１の上面部５１ａおよび背部５２の所定箇所に、それぞれマッサージ機構５３が設けられている。このマッサージ機構５３は、マッサージ機５０の座部５１周辺（図１では乗客の着座状態で右手側）に設けられたリモコン５４のボタン動作に応じて作動制御される。そして、座部５１へ着座して背部５２にもたれて乗車した乗客は、このリモコン５４を操作し、マッサージを受けながら、目的地へ移動することができる。
【００２３】
（図３および図４）
シートカバー１０は、車両シート３０のシート座面３１の横幅方向および奥行き方向と略等しく形成されている。シートカバー１０は、シート被覆部１１、座部固定部材２０、背部用開口部１２およびシート用フック穴１３が設けられている。シート被覆部１１は、シート座面３１およびマッサージ機５０の座部５１の全体を被覆可能に形成されている。なお、本実施形態におけるシートカバー１０の材質としては、手触りの良い布（例えば木綿）製のものを採用している。
【００２４】
座部固定部材２０は、マッサージ機５０の座部５１の奥行き方向および横幅方向と略同等に形成されている。また、マッサージ機５０の座部５１の上面部５１ａと接する上接面部２０ａと、マッサージ機５０の座部５１の下面部５１ｂと接する下接面部２０ｂと、マッサージ機５０の座部５１の座部先端部５１ｃが挿出入される座部用開口部２１とを備えて袋状に形成されている。すなわち、シートカバー１０の装着時に、座部先端部５１ｃが座部用開口部２１に挿入され、座部５１を座部固定部材２０が被覆して固定する形態となる。
【００２５】
また、座部固定部材２０は、図４（ａ）に示すように、予め独立して形成された状態でシート被覆部１１に対し縫合されているが、図４（ｂ）に示すように、一枚布をシート被覆部１１に縫合して形成しても良い。但し、図４（ａ）のようにすれば、座部固定部材２０の生地のみを厚くすることなどが容易となり、応用性が広がるため好ましい。例えば、マッサージ機５０の座部５１の表面形状が粗く形成されており、乗客が着座すると痛いなど、マッサージ機５０の快適性が十分に発揮されない場合などに効果的である。
【００２６】
なお、シートカバー１０の製造工程において、座部固定部材２０のみを独立工程とすることも可能である。以下のような場合を想定したものである。すなわち、普通自動車における車両シート３０の形状には大きな違いがないが、マッサージ機５０は製造メーカに応じて形状が異なる場合などが懸念される。このような問題にも容易に対応可能となる。
【００２７】
背部用開口部１２は、座部固定部材２０に隣接し、マッサージ機５０の背部５２の横幅と略同等に形成され、背部５２の背部先端部５２ｃの出入口として形成されている。つまり、シートカバー１０の着脱時には、背部用開口部１２に背部先端部５２ｃが挿出入されることになる。
シート用フック穴１３は、シートカバー１０の両端部に設けられており、車両シート３０のシート座面３１の両端部３１ａに引っ掛かるよう形成されている。シート用フック穴１３を設けることで、車両シート３０に対してシートカバー１０の固定を確実なものとすることができる。なお、シート用フック穴１３は、車両シート３０の下端両端部３１ｂに対して固定されるよう形成することもできる。
【００２８】
シートカバー１０をマッサージ機５０に設置する順序としては、まず、シートカバー１０の座部固定部材２０をマッサージ機５０の座部用開口部２１に挿入する。マッサージ機５０の背部５２の背部先端部５２ｃを背部用開口部１２に挿入する。これらの挿入順序は反対としても良い。そして、シート用フック穴１３をシート座面３１の両端部３１ａまたは下端両端部３１ｂにそれぞれ引っ掛ける。シートカバー１０を取り外す時は、取り付けの時と逆にして外せばよい。
車両シート３０に後付けで設置したマッサージ機５０には、座部固定部材２０が備えられているため、マッサージ機５０の座部５１が固定でき、乗客の乗降や座り直しの際に発生する「ズレ」が生じることがない。このため、乗客はマッサージ機を利用していても「ズレ」が発生しないため、使い勝手が向上する。また、運転者に対して、「ズレ」による再セッティングの作業を減らすことに寄与する。
【００２９】
上述したように、シートカバー１０は布製で形成されているので、シートカバー１０のクリーニングを容易に行うことが可能となっている。業務用で使用するタクシーでは、車両シートを利用する頻度が一般車と異なり、清潔さを保つ必要性が極めて高い。本実施形態におけるシートカバー１０は、後付けのマッサージ機５０に対しても、着脱が容易であることから、繰り返しのクリーニングが可能となっているため、利便性に優れた構成となっている。また、シートカバー１０に背部側開口部１２を設けたため、マッサージ機５０の背部５２の着脱作業も容易となる。さらに、シートカバー１０で車両シート３０を被覆することで、マッサージ機５０本体の露出が抑えられ、美観的にも良好となる。
【００３０】
図２において、点線部で示した背部用シートカバー７０は、マッサージ機５０の背部５２を被覆するよう設けられている。この背部用シートカバー７０は、マッサージ機５０の座部５１と背部５２との境界である境界領域１００を露出させて形成されている。すなわち、本実施形態のように背部用シートカバー７０を用いることで、マッサージ機５０の背部５２を被覆することになり、美観形成に寄与する。また、マッサージ機５０の背部５２全体を被覆するのではなく、一部を露出させることで、乗客に対してマッサージ機５０の存在を認識させ、かつ美観維持を図ることができる。
なお、背部用シートカバー７０の色および材質をシートカバー３０と同一とすれば全体としての統一感が生まれ、美観がより向上する。
【００３１】
（図５および６）
図５は、シートカバー１０の他の形態を示した図であり、図６は、車両シート３０にマッサージ機５０およびシートカバーを装着した形態を示した図である。シートカバー１０ａは、座部固定部材２０および背部側開口部１２に隣接して第二座部固定部材４０および第二背部側開口部４２が配置されている。第二座部固定部材４０および第二背部側開口部４２は、車両シート３０の着座可能人数に対応して設置された他のマッサージ機６０の座部６１および背部６２の位置関係が等しくなるよう形成されている。この第二座部固定部材４０は、シート被覆部１１の生地よりも厚く形成されている。
なお、第二座部固定部材４０、第二背部側開口部４２およびマッサージ機６０は、第一実施形態で説明した座部固定部材３０、背部側開口部１２およびマッサージ機５０と構成は全く同様であるため、説明は省略する。
【００３２】
本実施形態では、車両シート３０に設置するマッサージ機の数に対応して、シートカバーを設置できる。例えば、車両シート３０が二人用であるとすれば、マッサージ機５０に隣接して他のマッサージ機６０が設置される場合がある。このため、利用者ニーズに応じたバリエーションを提供することができる。
上記、車両シート３０が三人用シートであれば、マッサージ機５０、６０に加え、車両シート３０に新たなマッサージ機を設置することができる。そして、このマッサージ機におけるシートカバーは、マッサージ機の座部を固定する座部固定部材（第二座部固定部材）およびマッサージ機の背部の挿出入のための背部側開口部（第二背部側開口部）が設けられ、多人数用のシートカバーとして用いることができる。
【００３３】
なお、本実施形態におけるシートカバー３０および背部用シートカバー７０の材質を布製としているが、これに限定されることはない。例えば、着脱作業が容易であり、クリーニングが可能な撥水性のビニル材としても良い。
【図面の簡単な説明】
【００３４】
【図１】本考案における車両シート、マッサージ機およびシートカバーの装着時の形態を概略的に示した斜視図である。
【図２】車両シートおよびマッサージ機に対し、シートカバーおよび背部用シートカバーを装着した形態を示した斜視図である。
【図３】シートカバーの背面の形態を示した平面図である。
【図４】座部固定部材の形態を示した概略正面図である。
【図５】第二実施形態のシートカバーの背面の形態を示した平面図である。
【図６】第二実施形態の車両シート、マッサージ機およびシートカバーの装着時の形態を概略的に示した斜視図である。
【符号の説明】
【００３５】
１０，１０ａ  シートカバー
１１  シート被覆部          １２  背部用開口部
１３  シート用フック穴
２０  座部固定部材
２０ａ  上接面部            ２０ｂ  下接面部
２１  座部用開口部
３０  車両シート
３１  シート座面
３１ａ  両端部              ３１ｂ  下端両端部
４０  第二座部固定部材
４２  第二背部側開口部
５０，６０  マッサージ機
５１  座部
５１ａ，５２ａ  上面部
５１ｂ  下面部              ５１ｃ  座部先端部
５２  背部                  ５２ｃ  背部先端部
５３  マッサージ機構        ５４  リモコン
７０  背部用シートカバー
【図１】
0003104685.tif 000003
【図２】
0003104685.tif 000004
【図３】
0003104685.tif 000005
【図４】
0003104685.tif 000006
【図５】
0003104685.tif 000007
【図６】
0003104685.tif 000008